(57)【要約】【課題】  外部から力を加えることで、簡易に異なる磁気特性を得ることができるようにした磁性ワイヤーを提供する。【解決手段】  磁性ワイヤー１０は、所望の個所に、外部からの力の印加により磁気的に検知可能な長さより短く切断され磁気的に非検知領域となる破断領域１１を具備する。【選択図】  図２
2006268109.tif 000002
【特許請求の範囲】
【請求項１】
媒体に付与され、該媒体の識別に用いる磁性ワイヤーであって、
所望の個所に、外部からの力の印加により磁気的に検知可能な長さより短く切断され磁気的に非検知領域となる破断領域
を具備することを特徴とする磁性ワイヤー。
【請求項２】
前記破断領域は、
磁気的に検知可能な長さより短い間隔で原料密度の異なる部分が交互に接触する構造を有し、外部からの力の印加により前記原料密度の異なる部分で切断されて前記非検知領域となる
ことを特徴とする請求項１記載の磁性ワイヤー。
【請求項３】
前記破断領域は、
磁気的に検知可能な長さより短い間隔で径の大きい個所と小さい個所とが交互に繰り返す構造を有し、外部からの力の印加により前記径の小さい個所で切断されて前記非検知領域となる
ことを特徴とする請求項１記載の磁性ワイヤー。
【請求項４】
前記破断領域は、
磁気的に検知可能な長さより短い間隔で刻み目が形成された構造を有し、外部からの力の印加により前記刻み目において切断されて前記非検知領域となる
ことを特徴とする請求項１記載の磁性ワイヤー。
【請求項５】
前記破断領域は、
磁気的に検知可能な長さより短い間隔で磁性を有する第１のワイヤーと磁性を持たず前記第１のワイヤーよりも強度の大きい第２のワイヤーとでねじれ目が形成されたツイステッドペア構造を有し、外部からの力の印加により前記ねじれ目の間の位置で切断されて前記非検知領域となる
ことを特徴とする請求項１記載の磁性ワイヤー。
【請求項６】
前記破断領域は、
磁気的に検知可能な長さより短い間隔で多孔質化された個所を備えた構造を有し、外部からの力の印加により前記多孔質化された個所で切断されて前記非検知領域となる
ことを特徴とする請求項１記載の磁性ワイヤー。
【発明の詳細な説明】
【技術分野】
【０００１】
本発明は、大バルクハウゼン効果を利用して用紙等の媒体を遠隔で検知することができるようにするために媒体に付与される磁性ワイヤーに関し、特に、外部から力を加えることで非検知領域となる破断領域を有する構造を採用することによって、簡易に異なる磁気特性を得ることができるようにした磁性ワイヤーに関する。
【背景技術】
【０００２】
近年、機密情報や個人情報等の漏洩防止、有価証券等の不正複写による偽造防止等、セキュリティ強化を目的とする種々の方法や装置が提案されている。
【０００３】
有価証券等の偽造防止を目的とする技術としては、用紙に磁性ワイヤーを挿入することで、本物を特定できる特性を用紙に付与して、偽造防止用紙を作成する技術がある。
【０００４】
例えば、特許文献１においては、用紙基材の紙層間に、磁性ワイヤーが漉き込まれた状態でなる万引き防止用ワイヤーが漉き込まれた用紙が提供されている。
【０００５】
また、磁性ワイヤーに関しては、磁性ワイヤー周辺の外部磁界がある一定以上に変化すると、該磁性ワイヤーの磁化の向きが反転する大バルクハウゼン効果と呼ばれる現象を利用して、磁性ワイヤーに発生した大バルクハウゼン効果を検出コイルによりパルス出力として検出することが行われている。
【０００６】
そして、特許文献２においては、大バルクハウゼン効果を発生させることができる磁性ワイヤーと大バルクハウゼン効果を発生させない磁性ワイヤーとを使用し、各々の磁性ワイヤーに２種類の識別用外部磁界を印加することで、識別用外部磁界の違いにより各々の磁性ワイヤーから発生される信号が異なることを利用して、各々の磁性ワイヤーを貼り付けた物品に対する高度のセキュリティを確保することができる識別機能を有する物品およびその識別方法が提案されている。
【特許文献１】特開２００２−３１７３９８号公報
【特許文献２】特開平１１−３０６２７５号公報
【発明の開示】
【発明が解決しようとする課題】
【０００７】
このように、大バルクハウゼン効果を発生させる磁性ワイヤーは、セキュリティ強化を目的とする方法に利用されるが、外部からの力の印加により簡易に異なる磁気特性を得ることができる磁性ワイヤーは提案されていなかった。
【０００８】
そこで、この発明は、外部から力を加えることで磁気的に非検知領域となる破断領域を有する構造を採用することによって、簡易に異なる磁気特性を得ることができるようにした磁性ワイヤーを提供することを目的とする。
【課題を解決するための手段】
【０００９】
上記目的を達成する為、請求項１の発明は、媒体に付与され、該媒体の識別に用いる磁性ワイヤーであって、所望の個所に、外部からの力の印加により磁気的に検知可能な長さより短く切断され磁気的に非検知領域となる破断領域を具備することを特徴とする。
【００１０】
また、請求項２の発明は、請求項１の発明において、前記破断領域は、磁気的に検知可能な長さより短い間隔で原料密度の異なる部分が交互に接触する構造を有し、外部からの力の印加により前記原料密度の異なる部分で切断されて前記非検知領域となることを特徴とする。
【００１１】
また、請求項３の発明は、請求項１の発明において、前記破断領域は、磁気的に検知可能な長さより短い間隔で径の大きい個所と小さい個所とが交互に繰り返す構造を有し、外部からの力の印加により前記径の小さい個所で切断されて前記非検知領域となることを特徴とする。
【００１２】
また、請求項４の発明は、請求項１の発明において、前記破断領域は、磁気的に検知可能な長さより短い間隔で刻み目が形成された構造を有し、外部からの力の印加により前記刻み目において切断されて前記非検知領域となることを特徴とする。
【００１３】
また、請求項５の発明は、請求項１の発明において、前記破断領域は、磁気的に検知可能な長さより短い間隔で磁性を有する第１のワイヤーと磁性を持たず前記第１のワイヤーよりも強度の大きい第２のワイヤーとでねじれ目が形成されたツイステッドペア構造を有し、外部からの力の印加により前記ねじれ目の間の位置で切断されて前記非検知領域となることを特徴とする。
【００１４】
また、請求項６の発明は、請求項１の発明において、前記破断領域は、磁気的に検知可能な長さより短い間隔で多孔質化された個所を備えた構造を有し、外部からの力の印加により前記多孔質化された個所で切断されて前記非検知領域となることを特徴とする。
【発明の効果】
【００１５】
本発明の磁性ワイヤーによれば、所望の個所に、外部からの力の印加により磁気的に検知可能な長さより短く切断され磁気的に非検知領域となる破断領域を具備するように構成したので、磁性ワイヤーは簡易に異なる磁気特性を得ることができる効果を奏する。
【発明を実施するための最良の形態】
【００１６】
本発明に係わる磁性ワイヤーは、機密情報や個人情報等の情報漏洩防止、あるいは文書管理等を目的として、機密情報等を印刷、複写等により出力する場合は、本発明に係る磁性ワイヤーが付与された機密情報等が印刷される用紙に、搬送路において屈曲等の力が加えられることにより、磁性ワイヤーの特定領域が破壊され、予め設定された長さの磁性ワイヤーが形成されるので、磁性ワイヤーに予め設定された長さの磁性ワイヤーに関する情報が形成され、不正複写、不正持ち出しを防止し、機密文書の内容である機密情報の漏洩を防止することを可能とするものである。
【００１７】
また、本発明に係る磁性ワイヤーは、所望の位置に破断領域を設けることで磁性ワイヤーに力が加えられると磁性ワイヤーの破断領域の位置で容易に切断され、磁性ワイヤーが切断されることで、磁性ワイヤーの長さに応じた情報が形成されるように構成されている。
【００１８】
られたときに、磁性ワイヤーが切断され、所望の長さの磁性ワイヤーを形成することによって、所望の磁気特性が得られ、所望の情報を磁性ワイヤーに形成することができるようにするものである。
【００１９】
磁性ワイヤーに所望の情報を形成することによって、機密情報の管理をより厳重に行うことができる。
【００２０】
まず、本発明に係わる磁性ワイヤーを付与する磁性ワイヤー付与装置を設置した画像形成装置について図１を参照して説明を行う。
【００２１】
図１は、本発明に係わる磁性ワイヤーを用紙に付与することで、機密情報の漏洩防止を目的としたセキュリティ文書を作成する画像形成装置１００の要部を示した構成図である。
【００２２】
画像形成装置１００は、給紙トレイ１０１、転写ドラム１０２、露光装置１０３、現像器１０４、感光ドラム１０５、定着器１０６、排紙トレイ１０９、切断装置１１０、操作パネル１１１、原稿読取り装置１１２を備えている。
【００２３】
給紙トレイ１０１は本発明に係わる磁性ワイヤーが付与された用紙を蓄え、操作パネル１１１によるユーザからの指示に基づき、給紙トレイ１０１から磁性ワイヤーが付与された用紙が切断装置１１０に搬送される。
【００２４】
また、原稿読取り装置１１２は複写される原稿を読取って画像データを形成し、露光装置１０３は複写する画像データを感光ドラム１０５に静電潜像として形成し、現像器１０４は感光ドラム１０５に形成された静電潜像を現像してトナー像を形成し、転写ドラム１０２は感光ドラム１０５に形成されたトナー像を用紙に転写し、定着器１０６は用紙に転写されたトナー像を定着させ、排紙トレイ１０９は切断された磁性ワイヤーが付与されている用紙を排紙する。
【００２５】
画像形成装置１００は、図示しないＣＰＵ（Central Processing Unit）で動作制御され、本発明に係る磁性ワイヤーが付与された用紙は、切断装置１１０において屈曲、圧迫によって用紙に力が加えられ、用紙に付与された磁性ワイヤーの、力が加わると破壊され易い破断領域によって磁性ワイヤーが切断される。
【００２６】
切断装置１１０においては、後で詳しく説明する。
【００２７】
本発明に係る磁性ワイヤーは、外部から力が加えられることによって、磁性ワイヤーに配置された破断領域において切断されることによって、１本の磁性ワイヤーが複数の磁性ワイヤーに分割される。
【００２８】
そして、分割された複数の磁性ワイヤーが付与された用紙は、分割前の磁性ワイヤーとは長さの異なる磁性ワイヤーが付与された状態となる。
【００２９】
磁性ワイヤーの保磁力は、磁性ワイヤーの線径及び長さに応じて異なり、用紙に付与された１本の磁性ワイヤーが破断領域で切断されることで複数の磁性ワイヤーに分割され、分割された磁性ワイヤーは、分割された磁性ワイヤーの長さに応じた保磁力を有するようになる。
【００３０】
用紙に付与された磁性ワイヤーは、図示しない検知装置で磁性ワイヤーに所定の交番磁界を与えることで磁性ワイヤーが磁化反転時に発する急峻な磁気パルスを検出して検知することができ、磁性ワイヤーの保磁力に応じて磁気パルスの検出時間と検出出力が異なって検出される。
【００３１】
このことから、用紙に付与された１本の磁性ワイヤーの破断領域の配置を調節することにより、破断領域で切断されて分割される磁性ワイヤーの保磁力に応じて検出される磁気パルスの検出信号に対応した情報を与えることが可能となる。
【００３２】
次に、本発明に係わる、切断されることで情報を有する磁性ワイヤーについて図２を参照して説明を行う。
【００３３】
図２は、本発明に係る、切断されることで情報を有する磁性ワイヤー１０を示した模式図である。
【００３４】
磁性ワイヤー１０は、磁界を受けることで磁化され、磁化反転時に急峻な磁気パルスを発するような、所謂大バルクハウゼン効果の特性を有するＦｅ−Ｃｏ系アモルファス材で構成されている。
【００３５】
図２（ａ）に示すように、磁性ワイヤー１０には、外部からの力の印加により容易に破壊されて磁性ワイヤーを切断するように構成された破断領域１１が形成されている。
【００３６】
破断領域１１は、外部から屈曲もしくは圧迫等の力が加えられることにより、破断領域１１自体が、磁気的に検知可能な長さより短く切断されて、磁気的に非検知領域となる領域である。
【００３７】
なお、破断領域１１についてはその形成方法に様々な種類があり、後で詳しく説明する。
【００３８】
磁性ワイヤー１０は、屈曲もしくは圧迫等によって外部から力が加わることで破断領域１１において切断され、１本の磁性ワイヤー１０は所望の長さに切断される。
【００３９】
所望の長さに磁性ワイヤーが切断されることで、切断後の磁性ワイヤーの長さに応じた情報が形成される。
【００４０】
図２（ｂ）には、磁性ワイヤー１０に力が加えられることによって破断領域１１において切断されて形成される複数の磁性ワイヤー１２、１３、１４を示した模式図である。
【００４１】
図２（ｂ）に示すように、磁性ワイヤー１０に力が加えられて破断領域１１において切断されると、磁性ワイヤー１０が分割されて、複数の磁性ワイヤー１２、１３、１４が形成される。
【００４２】
磁性ワイヤーは、磁気的に検知される際には、磁性ワイヤーの長さが異なることによって、ワイヤーの保磁力が異なるので、大バルクハウゼン効果が発生したときに発生する磁気パルスが検出される検出信号が異なり、磁性ワイヤーの長さに応じた検出信号が検知装置で検知されるので、磁性ワイヤーの長さに応じた情報を形成することができる。
【００４３】
よって、磁性ワイヤーの所望の個所に破断領域を配置することで所望の情報を形成することができる。
【００４４】
次に、本発明に係る磁性ワイヤー１０が付与された用紙２０について、図３を参照して説明を行う。
【００４５】
図３は、磁性ワイヤー１０が付与された用紙２０を示す模式図である。
【００４６】
図３（ａ）に示すように、用紙２０には粘着テープ２１によって磁性ワイヤー１０が付与されている。
【００４７】
このように、磁性ワイヤー１０は、粘着テープ２１によって、検知される用紙等の媒体に付与されているので、磁性ワイヤー１０が破断領域１１において切断されても、切断後の磁性ワイヤー１２、１３、１４が散乱することはない。
【００４８】
図３（ａ）に示す用紙２０が画像形成装置１００において、給紙トレイ１０１に配置されており、操作パネル１１１のユーザからの指示に基づいて用紙２０が切断装置１１０に搬送され、切断装置１１０において磁性ワイヤーに力が加えられることによって、付与された磁性ワイヤー１０が破断領域１１において切断される。
【００４９】
図３（ｂ）は、用紙２０に付与された磁性ワイヤー１０が磁性ワイヤー１２、１３、１４に分割された状態を示す模式図である。
【００５０】
図３（ｂ）に示すように、用紙２０は、切断装置１１０で力が加えられることによって磁性ワイヤー１０は破断領域１１において切断されて、磁性ワイヤー１２、１３、１４が形成される。
【００５１】
このように磁性ワイヤー１２、１３、１４が形成されることによって、長さの異なる磁性ワイヤー１２、１３、１４が用紙２０に形成され、磁性ワイヤーは、長さが異なることで、大バルクハウゼン効果が発生したときに発生する磁気パルスを検出する検出信号が異なるので、長さの異なる磁性ワイヤー１２、１３、１４が用紙２０に配置されることによって、用紙２０に磁性ワイヤー１２、１３、１４の長さに特有の情報が記録される。
【００５２】
次に、画像形成装置１００の切断装置１１０について図４を参照して説明する。
【００５３】
図４は、画像形成装置１００の切断装置１１０の要部を示した構成図である。
【００５４】
切断装置１１０は、ローラ４１、ローラ４２、屈曲ローラ４３、４４、用紙挿入口４５、用紙排出口４６、ガイド４７を備えている。
【００５５】
ローラ４１は、図示しないモータによって回転され、用紙が滑らないようにローラ４１の表面はゴム等により皮膜処理が行われている。
【００５６】
ローラ４２の表面は、用紙が滑らないようにゴム等により皮膜処理が行われており、ローラ４１とローラ４２とで、搬送された用紙を圧迫することにより用紙に力が加えられる磁性ワイヤー１０の破断領域１１を破壊する。
【００５７】
屈曲ローラ４３は、用紙挿入口４５から挿入された用紙２０を屈曲させることにより、用紙２０に力を加えて、磁性ワイヤー１０の破断領域１１を破壊し、ローラ４１へと搬送する。
【００５８】
屈曲ローラ４４は、ローラ４１によって圧迫された用紙の搬送を受け、搬送された用紙を屈曲させることにより、用紙２０に力を加えて、磁性ワイヤー１０の破断領域１１を破壊し、用紙排出口４６に用紙を排出する。
【００５９】
また、ガイド４７は、用紙挿入口４５から挿入された用紙が、屈曲ローラ４３で屈曲されて、ローラ４１とローラ４２とで圧迫されて、屈曲ローラ４４で屈曲されて、用紙排出口４６から排出されるように用紙の搬送を補助する。
【００６０】
画像形成装置１００において、給紙トレイ１０１から搬送された用紙２０は、切断装置１１０の用紙挿入口４５へ挿入され、屈曲ローラ４３において屈曲されて破断領域１１が破壊され、ガイド４７に補助されながらローラ４１とローラ４２との接触点に搬送されて、ローラ４１とローラ４２との接触点においてローラ４１とローラ４２により圧迫されて、屈曲ローラ４３で破壊されなかった破断領域１１が破壊された後、ガイド４７に補助されながら屈曲ローラ４４へと搬送されて、屈曲ローラ４４によって屈曲されて、屈曲ローラ４３、ローラ４１、ローラ４２で破壊されなかった破断領域１１が破壊された後、用紙２０は用紙排出口４６から排出され、搬送路に沿って転写ドラム１０２へ搬送される。
【００６１】
このように、切断装置１１０によって、用紙２０に屈曲、圧迫によって力が加えられ、磁性ワイヤー１０の破断領域１１が破壊され、磁性ワイヤー１０が磁性ワイヤー１２、１３、１４に切断される。
【００６２】
次に、画像形成装置１００において、情報が形成された磁性ワイヤーが付与された用紙に複写が行われる処理について図５を参照して説明を行う。
【００６３】
図５は、画像形成装置１００において、情報が形成された磁性ワイヤーが付与された用紙に複写が行われる処理について示したフローチャートである。
【００６４】
画像形成装置１００において、操作パネル１１１よりユーザによる複写の指示を受け付けると（ステップ５０１）、給紙トレイ１０１から切断前の磁性ワイヤー１０が付与された用紙２０が切断装置１１０に搬送される（ステップ５０２）。
【００６５】
切断装置１１０に搬送された用紙２０は、切断装置１１０内部で屈曲、圧迫等によって力が加えられ、用紙２０に付与されている磁性ワイヤー１０の破断領域１１が破壊されて、磁性ワイヤー１０は磁性ワイヤー１２、１３、１４に切断される（ステップ５０３）。
【００６６】
切断装置１１０内部で、磁性ワイヤー１０が切断されて、磁性ワイヤー１２、１３、１４が配置された用紙２０は、磁性ワイヤー１２、１３、１４の長さに特有の情報を所有し、転送ドラム１０２に搬送される。
【００６７】
一方、ユーザの複写指示を受け付けた画像形成装置１００は、原稿読取り装置１１２において複写する画像データを形成し、露光装置１０３が感光ドラム１０５に静電潜像を形成し、現像器１０４が感光ドラム１０５に形成された静電潜像を現像してトナー像を形成する。
【００６８】
そして、転送ドラム１０２に搬送された用紙２０は、転写ドラム１０２によって、感光ドラム１０５に形成されたトナー像を用紙２０に転写して、用紙２０は、定着器１０６によってトナーの定着が行われ画像が形成される（ステップ５０４）。
【００６９】
画像が形成された用紙２０は、排紙トレイ１０９より排紙される（ステップ５０５）。
【００７０】
次に、本発明に係る磁性ワイヤー１０の破断領域１１について、添付図面を参照して説明を行う。
【００７１】
まず、磁性ワイヤー１０の破断領域１１は、磁性ワイヤー１０に外部から力が加えられたら切断される構造を有しており、その構造の種類として、ツイステッドペア構造について図６を参照して説明する。
【００７２】
図６は、ツイステッドペア構造を有する破断領域１１を示す模式図である。
【００７３】
図６（ａ）にツイステッドペア構造の破断領域１１の模式図を示す。
【００７４】
破断領域１１は、磁性ワイヤー６０とワイヤー６１のツイステッドペア構造で構成される。
【００７５】
磁性ワイヤー６０は、ある磁界強度で大バルクハウゼン効果を発生させることができ、磁性ワイヤー１０の磁性ワイヤー部分を形成するものである。
【００７６】
つまり、磁性ワイヤー６０の一部分にワイヤー６１がツイステッドペア構造で絡み合うことで破断領域１１が形成されている。
【００７７】
ワイヤー６１は、磁性ワイヤー６０よりも引っ張り強度の大きいワイヤーである。
【００７８】
磁性ワイヤー６０は、屈曲等によって力が加えられることによって、磁性ワイヤー６０とワイヤー６１の引っ張り強度の違いから、図６（ｂ）に示すように、ツイステッドペア構造のねじれ目の間に位置する磁性ワイヤー６０が切断されることによって、磁性ワイヤー１０が破断領域１１によって切断される。
【００７９】
また、磁性ワイヤー６１が切断されやすいように、ツイステッドペア構造の磁性ワイヤー６０とワイヤー６１が交差している各ねじれ目をエポキシ樹脂等で固定するようにしてもよい。
【００８０】
次に、破断領域１１の種類として、刻み目が形成されることによって構成される破断領域１１について図７を参照して説明する。
【００８１】
図７は、磁性ワイヤーに刻み目が形成されることによって構成される破断領域１１を示した模式図である。
【００８２】
図７（ａ）に、刻み目が形成されることによって構成される破断領域１１の模式図を示す。
【００８３】
図７（ａ）に示すように、磁性ワイヤーの破断領域１１は、磁性ワイヤーに刻み目が形成されることによって構成されており、該磁性ワイヤーに屈曲等によって外部から力が加えられると、図７（ｂ）に示すように刻み目５０が形成された破断領域１１が破壊された状態となって、破断領域１１は、磁性ワイヤーを所望の長さに切断する役目を果たす。
【００８４】
磁性ワイヤーに形成される刻み目は、例えば微細レーザ加工によって磁性ワイヤーに刻み目が形成される。
【００８５】
次に、破断領域１１の種類として、ワイヤー径の大小によって構成される破断領域１１について図８を参照して説明する。
【００８６】
図８は、磁性ワイヤーのワイヤー径の大小によって構成される破断領域１１を示した模式図である。
【００８７】
図８（ａ）に、磁性ワイヤーのワイヤー径の大小によって構成される破断領域１１の模式図を示す。
【００８８】
図８（ａ）に示すように、この磁性ワイヤーは、ワイヤー径の大きさが大きい個所と小さい個所が交互に変化するように構成されており、屈曲等によって外部から力が加えられると、図８（ｂ）に示すようにワイヤー径の小さい個所から磁性ワイヤーが切断されて、破断領域１１によって磁性ワイヤーが切断される。
【００８９】
このように磁性ワイヤーのワイヤー径の小さい個所が切断されることによって、ワイヤー径の大小によって構成される破断領域１１は、磁性ワイヤーを所望の長さに切断する役目を果たす。
【００９０】
なお、このようなワイヤー径の大小によって構成される破断領域１１を形成するには、例えば、Ｆｅ−Ｃｏ系の材料をワイヤー状に引き抜き加工により加工する際に、引っ張り強さに強弱をつけて線材を引っ張ることで行われる。
【００９１】
また、押し出し加工により加工する際には、押しつけ圧力に強弱を繰り返すことで、ワイヤー径の大きい部分と小さい部分が交互に繰り返している破断領域１１が形成される。
【００９２】
次に、破断領域１１の種類として、Ｆｅ−Ｃｏ系の材料の濃度差により切断されやすくなる個所が形成された破断領域１１について図９を参照して説明する。
【００９３】
図９は、磁性ワイヤーの材料であるＦｅ−Ｃｏの濃度差により切断されやすくなる個所が形成された破断領域１１とを示す模式図である。
【００９４】
図９（ａ）に、磁性ワイヤーの材料の濃度差によって切断されやすくなる個所が形成された破断領域１１と、磁性ワイヤーの濃度差によって切断されやすくなる個所が形成された破断領域１１の製造方法の一例の一部との模式図を示す。
【００９５】
図９（ａ）に示すように、破断領域１１には、材料のＦｅ−Ｃｏの濃度に差がある部分が交互に配置されてあり、濃度に差のある部分は材料係数として密度の差が発生しており、屈曲、圧迫等によって外部から力が加えられると、図９（ｂ）に示すように材料の濃度差があるものが互いに接している個所が切断される。
【００９６】
濃度差は、例えば、Ｆｅ−Ｃｏの含有率を８０％と２０％というように差を形成することができる。
【００９７】
なお、図９（ｃ）に、磁性ワイヤーの材料の濃度差によって切断されやすくなる部分が形成された破断領域１１の製造方法の一例の一部分の模式図を示す。
【００９８】
図９（ｃ）に示すように、磁性ワイヤーの原料であるＦｅ−Ｃｏから濃度の異なる２種類の金属ペーストを形成し、それぞれの金属ペーストが異なる容器９３、９４に詰められ、ペースト切り替え弁９５、９６を切り替えて射出口９７より交互に濃度差のある柱状の金属ペーストが射出される。
【００９９】
この射出口９７より射出される金属ペーストにより、破断領域１１が形成される。
【０１００】
次に、破断領域１１の種類として、磁性ワイヤー中に気体が混入された多孔質によって形成される破断領域１１について図１０を参照して説明する。
【０１０１】
図１０は、磁性ワイヤー中に気体が混入される、多孔質によって形成される破断領域１１を示す模式図である。
【０１０２】
図１０（ａ）に、磁性ワイヤー中に気体が混入された多孔質によって形成される破断領域１１の模式図を示す。
【０１０３】
図１０（ａ）に示すように、磁性ワイヤーの破断領域１１は、気体が混入された多孔質で形成されている部分を有しており、磁性ワイヤーに、屈曲、圧迫等によって外部から力が加えられると、図１０（ｂ）に示すように、多孔質となっている部分が破壊されることで、破断領域１１が切断される。
【０１０４】
破断領域１１が切断されることで、破断領域１１は磁性ワイヤーを所望の長さに切断する役目を果す。
【０１０５】
なお、本発明に係る磁性ワイヤーを用紙等の媒体に付与する方法については、粘着テープで付与する方法に限らず、用紙を抄紙する時点で本発明に係る磁性ワイヤーを抄きこむ方法等の他の方法でももちろんよい。
【産業上の利用可能性】
【０１０６】
この発明は、大バルクハウゼン効果を利用して用紙等の媒体を遠隔で検知することができるようにするために媒体に付与される磁性ワイヤーにおいて利用可能である。
【０１０７】
この発明の磁性ワイヤーは、外部から力を加えることで非検知領域となる破断領域を有する構造を採用することによって、外部から力を加えることで簡易に異なる磁気特性を得ることができる。
【図面の簡単な説明】
【０１０８】
【図１】本発明に係わる磁性ワイヤーを用紙に付与することで、機密情報の漏洩を防止することができるセキュリティ文書を作成する画像形成装置１００の要部を示した構成図。
【図２】本発明に係る、切断されることで情報を有する磁性ワイヤー１０を示した模式図。
【図３】磁性ワイヤー１０が付与された用紙２０を示す模式図。
【図４】画像形成装置１００の切断装置１１０の要部を示した構成図。
【図５】画像形成装置１００において、情報が形成された磁性ワイヤーが付与された用紙に複写が行われる処理について示したフローチャート。
【図６】ツイステッドペア構造を有する破断領域１１を示す模式図。
【図７】磁性ワイヤーに刻み目が形成されることによって構成される破断領域１１を示した模式図。
【図８】磁性ワイヤーのワイヤー径の大小によって構成される破断領域１１を示した模式図。
【図９】磁性ワイヤーの材料であるＦｅ−Ｃｏの濃度差により切断されやすくなる個所が形成された破断領域１１を示す模式図。
【図１０】磁性ワイヤー中に気体が混入される、多孔質によって形成される破断領域１１を示す模式図。
【符号の説明】
【０１０９】
１０    磁性ワイヤー
１１    破断領域
１２    磁性ワイヤー
１３    磁性ワイヤー
１４    磁性ワイヤー
２０    用紙
２１    粘着テープ
４１    ローラ
４２    ローラ
４３    屈曲ローラ
４４    屈曲ローラ
４５    用紙挿入口
４６    用紙排出口
４７    ガイド
６０    磁性ワイヤー
６１    ワイヤー
５０    刻み目
９３    容器
９４    容器
９５    ペースト切り替え弁
９６    ペースト切り替え弁
９７    射出口
１００    画像形成装置
１０１    給紙トレイ
１０２    転写ドラム
１０３    露光装置
１０４    現像器
１０５    感光ドラム
１０６    定着器
１０９    排紙トレイ
１１０    切断装置
１１２    原稿読取り装置
１１１    操作パネル
【図１】
2006268109.tif 000003
【図２】
2006268109.tif 000004
【図３】
2006268109.tif 000005
【図４】
2006268109.tif 000006
【図５】
2006268109.tif 000007
【図６】
2006268109.tif 000008
【図７】
2006268109.tif 000009
【図８】
2006268109.tif 000010
【図９】
2006268109.tif 000011
【図１０】
2006268109.tif 000012